(57)【要約】【課題】巻き取り収納が可能であり、スクリーンに筋状の跡等の巻き段が付かず、使用時に平面性を保つことができる巻き取り型スクリーン装置を提供する。【解決手段】巻き芯１２０の外周部に溝部１２１を設けた。巻き芯１２０の第１の外周面１２０ａと溝部１２１の底面１２１ｃとによって形成された第１の段差部１２２ａは、巻き芯１２０の径方向における寸法Ｔ１がスクリーン１１０と巻き芯１２０とを接合する接合層１３０の厚みに対応するように設けた。また、第２の外周面１２０ｂと底面１２１ｃとによって形成された第２の段差部１２２ｂは、その寸法Ｔ２がスクリーン１１０と接合層１３０とを合わせた厚み、及び／又は、第１の段差部１２２ａの寸法Ｔ１とスクリーン１１０の厚みとを加えた寸法に対応するように設けた。さらに、溝部１２１と第１の外周面１２０ａとの角縁部分、及び、溝部１２１と第２の外周面１２０ｂとの角縁部分は曲面によって形成した。【選択図】図２
2008020624.tif 000002
【特許請求の範囲】
【請求項１】
映像源から投影された映像光を観察可能に表示する巻き取り型スクリーン装置であって、
収納時に巻き取られるスクリーンと、
前記スクリーンを巻き取り可能であり、外周部に径方向に凹んだ溝部が形成された巻き芯と、
前記溝部の底面に設けられ、前記スクリーンの一方の端部と前記巻き芯とを接合する接合層と、
を備え、
前記巻き芯の外周面であって、前記スクリーンが巻き始められる部分を第１の外周面とし、前記巻き芯の外周面であって、巻き取られて周回してきた前記スクリーンが接する前記溝部に近接する部分を第２の外周面とすると、
前記溝部の底面と前記第１の外周面とによって形成された第１の段差部は、前記巻き芯の径方向における寸法が、前記接合層の厚みに対応しており、
前記溝部の底面と前記第２の外周面とによって形成された第２の段差部は、前記巻き芯の径方向における寸法が、前記スクリーンと前記接合層とを合わせた厚み、及び／又は、前記第１の段差部の前記巻き芯の径方向における寸法に前記スクリーンの厚みを加えた寸法に対応していること、
を特徴とする巻き取り型スクリーン装置。
【請求項２】
請求項１に記載の巻き取り型スクリーン装置において、
前記第１の段差部の前記巻き芯の径方向における寸法は、前記スクリーンが前記巻き芯に巻き取られていない自由状態での前記接合層の厚みの６０〜１００％であり、
前記第２の段差部の前記寸法は、前記第１の段差部の前記巻き芯の径方向における寸法に前記スクリーンの厚みを加えた寸法の１００〜１２０％であること、
を特徴とする巻き取り型スクリーン装置。
【請求項３】
請求項１又は請求項２に記載の巻き取り型スクリーン装置において、
前記溝部と前記第１の外周面との角縁部分、及び、前記溝部と前記第２の外周面との角縁部分は、曲面によって形成されていること、
を特徴とする巻き取り型スクリーン装置。
【請求項４】
請求項１から請求項３までのいずれか１項に記載の巻き取り型スクリーン装置において、
前記第１の段差部と前記第２の段差部との前記巻き芯の径方向における寸法の差は、前記スクリーンの厚みに等しいこと、
を特徴とする巻き取り型スクリーン装置。
【請求項５】
請求項１から請求項４までのいずれか１項に記載の巻き取り型スクリーン装置において、
前記接合層は、弾性体を用いて形成されていること、
を特徴とする巻き取り型スクリーン装置。
【請求項６】
請求項１から請求項５までのいずれか１項に記載の巻き取り型スクリーン装置において、
前記接合層は、弾性体を用いて形成された基材の両面に粘着力を有する両面テープを用いて形成されていること、
を特徴とする巻き取り型スクリーン装置。
【請求項７】
請求項５又は請求項６に記載の巻き取り型スクリーン装置において、
前記接合層は、その厚みが前記第１の段差部の前記巻き芯の径方向における寸法以下となるまで圧縮可能であること、
を特徴とする巻き取り型スクリーン装置。
【請求項８】
請求項１から請求項７までのいずれか１項に記載の巻き取り型スクリーン装置と、
映像光を投影する映像源と、
を備えた映像表示システム。
【発明の詳細な説明】
【技術分野】
【０００１】
本発明は、収納時等に巻き取り可能であり、映像源から投影された映像光を観察可能に表示する巻き取り型スクリーン装置、映像表示システムに関するものである。
【背景技術】
【０００２】
近年、プロジェクターにより映像光を投射し、大画面のスクリーンで映像を楽しめるホームシアター等の低価格化が進み、一般家庭にも普及し始めている。このようなスクリーン装置の中でも、反射スクリーン装置は、不使用時には巻き取って収納できるタイプのものが広く普及している。
そのような巻き取り可能な反射スクリーン装置では、スクリーンを巻き芯に巻き取って収納するために、スクリーンの一方の端部は、巻き心の外周面に軸方向（長手方向）に沿って接着材を用いて貼り付ける等して、取り付けられている。
【０００３】
そのため、スクリーン等の厚みによって、巻き芯の外周面とスクリーンの表面との間に段差が生じ、巻き芯に巻き取った収納状態で長期間放置すると、巻き取られたスクリーンの段差と重なる位置に、筋状の曲げグセが跡となって残る（以下、これを巻き段とする）。この巻き段が生じると、使用時に、スクリーンの平面性が不十分になり、映像が歪んで観察されてしまうという問題があった。
【０００４】
この問題を解決するために、特許文献１、特許文献２の図４及び図５では、予め、巻き芯の外周の一部にその長手方向の全長にわたって、スクリーンの厚みと略同等となる段を形成し、段の谷部にスクリーンの先端部を当てて接着する方法が開示されている。しかし、この手法では、スクリーンを巻き芯に接合するための両面テープ等の厚みによって、巻き芯に取り付けられるスクリーンの端部の表面が、巻き芯の外周面よりも僅かに高さがずれて段差が生じる等して、同一面を保つことが難しく、巻き段が発生するという問題があった。また、両面テープ等の厚みによって、両面テープ等とスクリーンとが接合される接合面と、スクリーンが巻き始められる巻き芯の外周面とに段差が生じて、巻き段の原因となるという問題があった。
【特許文献１】実開昭５１−１２０１３４号公報
【特許文献２】特許第３３０３５１１号公報（第５頁、図４及び図５）
【発明の開示】
【発明が解決しようとする課題】
【０００５】
本発明の課題は、巻き取り収納が可能であり、スクリーンに筋状の跡等の巻き段が付かず、使用時に良好な平面性を保つことができる巻き取り型スクリーン装置、及び、これを備えた映像表示システムを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、映像源から投影された映像光を観察可能に表示する巻き取り型スクリーン装置であって、収納時に巻き取られるスクリーン（１１０）と、前記スクリーンを巻き取り可能であり、外周部に径方向に凹んだ溝部（１２１）が形成された巻き芯（１２０）と、前記溝部の底面（１２１ｃ）に設けられ、前記スクリーンの一方の端部と前記巻き芯とを接合する接合層（１３０）と、を備え、前記巻き芯の外周面であって、前記スクリーンが巻き始められる部分を第１の外周面（１２０ａ）とし、前記巻き芯の外周面であって、巻き取られて周回してきた前記スクリーンが接する前記溝部に近接する部分を第２の外周面（１２０ｂ）とすると、前記溝部の底面と前記第１の外周面とによって形成された第１の段差部（１２２ａ）は、前記巻き芯の径方向における寸法が、前記接合層の厚みに対応しており、前記溝部の底面と前記第２の外周面とによって形成された第２の段差部（１２２ｂ）は、前記巻き芯の径方向における寸法が、前記スクリーンと前記接合層とを合わせた厚み、及び／又は、前記第１の段差部の前記巻き芯の径方向における寸法に前記スクリーンの厚みを加えた寸法に対応していること、を特徴とする巻き取り型スクリーン装置（１０）である。
請求項２の発明は、請求項１に記載の巻き取り型スクリーン装置において、前記第１の段差部（１２２ａ）の前記巻き芯の径方向における寸法は、前記スクリーンが前記巻き芯に巻き取られていない自由状態での前記接合層（１３０）の厚みの６０〜１００％であり、前記第２の段差部（１２２ｂ）の前記巻き芯の径方向における寸法は、前記第１の段差部の前記巻き芯の径方向における寸法に前記スクリーンの厚みを加えた厚みの１００〜１２０％であること、を特徴とする巻き取り型スクリーン装置（１０）である。
請求項３の発明は、請求項１又は請求項２に記載の巻き取り型スクリーン装置において、前記溝部（１２１）と前記第１の外周面（１２０ａ）との角縁部分、及び、前記溝部（１２１）と前記第２の外周面（１２０ｂ）との角縁部分は、曲面によって形成されていること、を特徴とする巻き取り型スクリーン装置（１０）である。
請求項４の発明は、請求項１から請求項３までのいずれか１項に記載の巻き取り型スクリーン装置において、前記第１の段差部（１２２ａ）と前記第２の段差部（１２２ｂ）との前記巻き芯の径方向における寸法の差は、前記スクリーン（１１０）の厚みに等しいこと、を特徴とする巻き取り型スクリーン装置（１０）である。
請求項５の発明は、請求項１から請求項４までのいずれか１項に記載の巻き取り型スクリーン装置において、前記接合層（１３０）は、弾性体を用いて形成されていること、を特徴とする巻き取り型スクリーン装置（１０）である。
請求項６の発明は、請求項１から請求項５までのいずれか１項に記載の巻き取り型スクリーン装置において、前記接合層（１３０）は、弾性体を用いて形成された基材の両面に粘着力を有する両面テープを用いて形成されていること、を特徴とする巻き取り型スクリーン装置（１０）である。
請求項７の発明は、請求項５又は請求項６に記載の巻き取り型スクリーン装置において、前記接合層（１３０）は、その厚みが前記第１の段差部（１２２ａ）の前記巻き芯の径方向における寸法以下となるまで圧縮可能であること、を特徴とする巻き取り型スクリーン装置（１０）である。
請求項８の発明は、請求項１から請求項７までのいずれか１項に記載の巻き取り型スクリーン装置（１０）と、映像光を投影する映像源（Ｌ）と、を備えた映像表示システムである。
【発明の効果】
【０００７】
本発明によれば、以下の効果を奏することができる。
（１）巻き取り型スクリーン装置は、巻き芯の外周部に径方向に凹んだ溝部が形成され、溝部の底面と第１の外周面とによって形成された第１の段差部の巻き芯の径方向における寸法が、接合層の厚みに対応しており、溝部の底面と第２の外周面とによって形成された第２の段差部の巻き芯の径方向における寸法が、スクリーンと接合層とを合わせた厚み、及び／又は、第１の段差部の巻き芯の径方向における寸法にスクリーンの厚みを加えた寸法に対応している。従って、スクリーンや接合層の厚みによって巻き芯の外周面との間に生じる段差が解消され、スクリーンを巻き取って長期間保管する場合等にも、スクリーンに巻き段が生じることなく、使用時のスクリーンの平面性を良好に保ち、高画質の映像を表示できる。
【０００８】
（２）第１の段差部の巻き芯の径方向における寸法は、スクリーンが巻き芯に巻き取られていない自由状態での接合層の厚みの６０〜１００％であり、第２の段差部の巻き芯の径方向における寸法は、前記第１の段差部の巻き芯の径方向における寸法に前記スクリーンの厚みを加えた寸法の１００〜１２０％であるので、接合層の厚みに起因する段差が解消され、スクリーンに生じる巻き段を防止できる。
【０００９】
（３）溝部と第１の外周面との角縁部分、及び、溝部と第２の外周面との角縁部分は、曲面によって形成されているので、角縁部分の角によってスクリーンに傷が付いたり、巻き段が生じたりすることを防止できる。
【００１０】
（４）第１の段差部と第２の段差部との巻き芯の径方向における寸法の差は、スクリーンの厚みに等しいので、スクリーンの厚みによる段差を解消できる。
【００１１】
（５）接合層は、弾性体を用いて形成されているので、適度に変形可能である。従って、スクリーンの端部と巻き芯との接合部分は、巻き取られたスクリーンが重なることにより接合層の厚みが適度に変化し、スクリーンと巻き芯との接合部分の段差が解消され、巻き段を防止する効果をさらに高めることができる。
【００１２】
（６）接合層は、弾性体を用いて形成された基材の両面に粘着力を有する両面テープを用いて形成されているので、スクリーンの端部と巻き芯との接合部分は、巻き取られたスクリーンが重なることにより接合層の厚みが適度に変化し、スクリーンと巻き芯との接合部分の段差が解消され、巻き段を防止する効果をさらに高めることができる。また、巻き芯とスクリーンとの接合が容易に行える。
【００１３】
（７）接合層は、その厚みが第１の段差部の寸法以下となるまで圧縮可能であるので、巻き取られたスクリーンによって接合層が圧縮され変形することにより、接合層の厚みが第１の段差部の寸法に等しくなる。よって、接合層の厚みによって段差が生じることがなく、スクリーンの巻き段を防止する効果を高めることができる。
【００１４】
（８）映像表示システムは、巻き取り型スクリーン装置を備えているので、使用時のスクリーンの平面性が良好であり、高画質の映像を表示できる。
【発明を実施するための最良の形態】
【００１５】
本発明は、巻き取り収納が可能であり、スクリーンに筋状の跡等の巻き段が付かず、使用時に平面性を保つことができる巻き取り型スクリーン装置、及び、これを備えた映像表示システムを提供するという目的を、巻き芯に溝部を形成し、巻き芯の第１の外周面と溝部の底面とによって形成された第１の段部が、巻き芯の径方向における寸法がスクリーンと巻き芯とを接合する接合層の厚みに対応するように設け、第２の外周面と溝部の底面とによって形成された第２の段差部は、巻き芯の径方向における寸法が接合層とスクリーンとを重ねた厚み、及び、第１の段差部の巻き芯の径方向における寸法にスクリーンの厚みを加えた寸法に対応するように設けることにより実現した。
【実施例】
【００１６】
図１は、本発明による実施例の巻き取り型スクリーン装置１０を備えた映像表示システムを示す図である。
なお、図１を含め、以下に示す各図は、説明のため各部寸法、形状等を適宜誇張して示している。また、図１に示す垂直方向、水平方向とは、スクリーンの使用状態における垂直方向、水平方向である。
本実施例の映像表示システムは、巻き取り型スクリーン装置１０、プロジェクター光学エンジン部（映像源）Ｌ等を備えている。
本実施例の巻き取り型スクリーン装置１０は、スクリーン１１０，収納部１２，錘部１３等を備えている。この巻き取り型スクリーン装置１０は、天井等に取り付けられ、スクリーン使用時には、後述の収納部１２からスクリーン１１０を引き出し、映像光を投影して映像を表示し、不使用時には、スクリーン１１０を収納部１２内に巻き取ることが可能である。
【００１７】
本実施例のスクリーン１１０は、収納時等に巻き取り可能であり、映像源Ｌから投影された映像光を観察者Ｏ側へ反射させて観察可能とする反射スクリーンである。
スクリーン１１０は、シート状又はフィルム状の部材であり、本実施例では、スクリーン１１０は、ポリエチレンテレフタレート（ＰＥＴ）樹脂を用いて形成された白色のシート状の部材であり、その厚みＳは、Ｓ＝３００μｍである（後述の図３及び図４参照）。
【００１８】
収納部１２は、不使用時に巻き取ったスクリーン１１０をその内部に収納する部分である。収納部１２は、金属又はプラスチック製等の中空の部材であり、スクリーン１１０を引き出し可能なスリット等がその軸方向に形成されている。収納部１２の内部には、スクリーン１１０を巻き取る後述の巻き芯１２０が備えられており、本実施例では、スクリーン１１０の一方の端部が、この巻き芯１２０に接合されている。また、本実施例のスクリーン１１０は、収納時に観察面側が巻き芯１２０側（内側）となるように巻き取られる形態となっている。しかし、これに限らず、スクリーン１１０は、裏面側が巻き芯１２０側となるように巻き取られる形態としてもよい。
錘部１３は、巻き芯１２０と接合されるスクリーン１１０の端部とは反対側の端部に設けられた部分である。この錘部１３は、その錘部１３によってスクリーン１１０に加わる荷重により、スクリーン１１０の使用状態での平面性を高めるために十分な重さを有している。本実施例では、錘部１３は、金属製の丸棒状の部材であり、スクリーン１１０の一端が巻き付けられ、接着されている。
【００１９】
本実施例の巻き取り型スクリーン装置１０は、スクリーン１１０の巻き取りを、スプリングの付勢力によって行うスプリング巻き上げ方式のスクリーン装置である。しかし、これに限らず、例えば、スクリーンの巻き取りを、電動で行う電動式のものや、パンタグラフを複数組み合わせた伸縮機構による下からの持ち上げによってスクリーンを使用状態となるように引き出し、これと逆の動作によってスクリーンを巻き取る方式のものでもよい。
【００２０】
図２は、本実施例の収納部１２内の巻き芯１２０とスクリーン１１０との関係を説明する断面図である。
図３は、スクリーン１１０が巻き取られていない状態での溝部１２１付近の拡大図である。
図４は、スクリーン１１０が巻き取られた状態での溝部１２１付近の拡大図である。
収納部１２内には、巻き芯１２０が回転可能に備えられ、スクリーン１１０の一方の端部が接合層１３０によって巻き芯１２０に接合されている。また、収納部１２，巻き芯１２０の両端部には、不図示のスプリングが設けられており、巻き芯１２０は、巻き取り方向に付勢されている。
【００２１】
巻き芯１２０は、第１の外周面１２０ａ，第２の外周面１２０ｂ，溝部１２１，第１の段差部１２２ａ，第２の段差部１２２ｂ等を有し、スクリーン１１０を巻き取り可能な金属製又はプラスチック製の略円筒形状の部材である。本実施例では、巻き芯１２０は、アルミニウムを用いて中空に形成されている。
【００２２】
溝部１２１は、巻き芯１２０の外周部に設けられ、径方向に凹んだ形状である。本実施例では、溝部１２１は、巻き芯１２０の長手方向に延在して設けられ、巻き芯１２０の径方向での断面形状は、略矩形である。この溝部１２１は、側面１２１ａ，１２１ｂ、底面１２１ｃを有し、底面１２１ｃには、接合層１３０が設けられている。
第１の外周面１２０ａは、巻き芯１２０の外周面であって、接合層１３０によって巻き芯１２０に接合されたスクリーン１１０が巻き始められる部分である。また、第２の外周面１２０ｂは、巻き芯１２０の外周面であって、巻き取られて周回してきたスクリーン１１０が接する溝部１２１に近接した部分である。
本実施例では、巻き芯１２０は、第１の外周面１２０ａでの外径が５０ｍｍのものを用いている。また、巻き芯１２０は、回転中心から第１の外周面１２０ａまでの径は、回転中心から第２の外周面１２０ｂまでの径よりも、スクリーン１１０の厚みＳだけ小さいものとし、図２に示すように、巻き芯１２０の径方向の断面は、略円形形状であるものとした。
なお、本実施例では、巻き芯の外径を５０ｍｍとしたが、スクリーン１１０の厚み等によって適宜最適なものを選択して用いてよい。
【００２３】
第１の段差部１２２ａは、溝部１２１の底面１２１ｃと第１の外周面１２０ａによって形成された段差である。本実施例では、巻き芯１２０の径方向における第１の段差部１２２ａの寸法Ｔ１は、Ｔ１＝３００μｍである。
第２の段差部１２２ｂは、溝部１２１の底面１２１ｃと第２の外周面１２０ｂによって形成された段差である。本実施例では、巻き芯１２０の径方向における第２の段差部１２１ｂの寸法Ｔ２は、Ｔ２＝６００μｍである。
この第２の段差部１２２ｂの寸法Ｔ２は、第１の段差部１２２ａの寸法Ｔ１にスクリーン１１０の厚みＳ（３００μｍ）を加えた寸法（Ｔ１＋Ｓ）に等しい。
【００２４】
本実施例では、溝部１２１と第１の外周面１２０ａとの角縁部分（溝部１２１の側面１２１ａと第１の外周面１２０ａとの角縁部分）、及び、溝部１２１と第２の外周面１２０ｂとの角縁部分（溝部１２１の側面１２１ｂと第２の外周面１２０ｂとの角縁部分）は、曲面によって形成されている。従って、巻き取られたスクリーン１１０がそれぞれの角縁部分の角によって傷付いたり、角に起因して巻き段が発生したりすることを防止できる。
【００２５】
接合層１３０は、スクリーン１１０の一方の端部と巻き芯１２０とを接合する層であり、溝部１２１の底面１２１ｃに巻き芯１２０の長手方向の全体にわたって設けられている。
この接合層１３０は、弾性体を基材とし、その両面に粘着性を有する両面テープが用いられている。本実施例では、接合層１３０は、基材に用いる弾性体として、潰れ易く、かつ、復元力のある発泡体であるポリエチレン系の材料（以下、発泡ポリエチレン系の材料とする）を用いており、スクリーン１１０が巻き芯１２０に巻き取られていない自由状態（図３参照）、つまり、圧縮されていない状態での厚み（底面１２１ｃからの高さ）Ｄは、Ｄ＝４００μｍである。また、接合層１３０は、その厚みが第１の段差部１２２ａの寸法Ｔ１（３００μｍ）以下となるまで圧縮可能である。
【００２６】
なお、接合層１３０に用いる両面テープの基材としては、発泡ポリエチレン系の材料に限らず、例えば、変性ポリエチレン、アクリル、ウレタン等の少なくとも１つを用いた樹脂を用いることが、柔軟であり、低コストであるという理由から好ましい。さらに、基材として、これらの材料を用いて発泡体に形成した部材を用いることにより、さらに柔軟性を向上させることができる。
また、接合層１３０に用いる基材は、上述のような柔軟性を有する弾性体だけではなく、例えば、ポリエステル系の樹脂やアクリル系の樹脂、アルミニウム等を用いて形成されたシート状又はフィルム状の部材、ガラスクロス等の圧縮した場合にも厚みが殆ど変化しないような部材を用いてもよい。この場合、スクリーン１１０が巻き芯に巻き取られていない自由状態での接合層１３０の厚さＤは、第１の段差部１２２ａの寸法Ｔ１に略等しいものを用いることが、巻き段防止のために好ましい。
【００２７】
ここで、巻き段の発生を防止するという観点から、第１の段差部１２２ａの巻き芯１２０の径方向における寸法は、接合層１３０の厚みと等しく、第２の段差部１２２ｂの巻き芯１２０の径方向における寸法は、接合層１３０とスクリーン１１０とを重ねた厚みに等しく、かつ、第１の段差部１２２ａの寸法にスクリーン１１０の厚みを加えた寸法に等しいことが、望ましい。
本実施例では、図３に示すように、スクリーン１１０が巻き取られていない状態では、接合層１３０は、圧縮されておらず、その厚みＤ＝４００μｍである。そのため、接合層１３０のスクリーン１１０側の面は、第１の外周面１２０ａよりも径方向の高さが高くなっている。また、スクリーン１１０が巻き取られていない状態での接合層１３０とスクリーン１１０とを重ねた厚みＤ＋Ｓ（７００μｍ）は、第２の段差部１２２ｂの寸法Ｔ２（６００μｍ）よりも大きく、スクリーン１１０の表面（巻き芯１２０とは反対側の面）は、第２の外周面１２０ａよりも径方向の高さが高くなっている。
【００２８】
しかし、接合層１３０は、基材に弾性体を用いており、スクリーン１１０が巻き芯１２０に巻き取られることにより圧縮され、その厚みが変化する。
スクリーン１１０を巻き取った状態では、図４に示すように、接合層１３０は、弾性体を用いているので、巻き取られたスクリーン１１０によって第１の段差１２２ａの寸法Ｔ１に等しい厚みＤ２（３００μｍ）へと圧縮され、スクリーン１１０を巻き取った状態での接合層１３０とスクリーン１１０とを重ねた厚みＤ２＋Ｓ（６００μｍ）は、第２の段差部１２２ｂの寸法Ｔ２（６００μｍ）に等しくなる。
従って、スクリーン１１０や接合層１３０の厚み等に起因した段差が生じることなく、スクリーン１１０を巻き芯１２０に巻き取ることができる。
【００２９】
本実施例のように、接合層１３０に弾性体を用いる場合には、その弾性体が圧縮されて変形する際の変形量等に応じて、第１の段差部１２２ａ及び第２の段差部１２２の寸法を適宜選択してよい。
具体的には、第１の段差部１２２ａの寸法Ｔ１は、スクリーン１１０が巻き芯１２０に巻き取られていない自由状態での接合層１３０の厚みＤ（４００μｍ）の６０〜１００％（２４０〜４００μｍ）とするとことが、接合層１３０と第１の周面１２０ａとの段差による巻き段を防止する観点から好ましい。
また、第２の段差部１２２ｂの寸法Ｔ２は、接合層１３０の厚みＤとスクリーン１１０の厚みＳに対応した厚みであり、第１の段差部１２２ａの寸法Ｔ１にスクリーン１１０の厚みＳを加えた寸法Ｔ１＋Ｓ（６００μｍ）の１００〜１２０％（６００〜７２０μｍ）とすることが、スクリーン１１０の表面と第２の外周面１２０ｂとの段差による巻き段を防止する観点から望ましい。
本実施例の巻き取り型スクリーン１０では、第１の段差部１２２ａの寸法はＴ１＝３００μｍであり、スクリーン１１０が巻き取られていない状態での接合層１３０の厚みＤ＝４００μの７５％であり、巻き段防止に効果的な寸法である。
また、第２の段差部１２２ｂの寸法は、Ｔ２＝６００μｍであり、第１の段差部１２２の寸法Ｔ１にスクリーンの厚みＤを足した寸法に等しく、巻き段防止に効果的な寸法である。
【００３０】
本実施例では、スクリーン１１０の先端部分は、接合層１３０によって巻き芯１２０に接合されておらず、巻き芯１２０の径方向の内側に落ち込むことが可能な形態となっている。従って、スクリーン１１０が巻き芯１２０に巻き取られたとき、スクリーン１１０の先端部分は、第２の段差部１２２ｂと接合層１３０との間に形成された溝形状の空間に落ち込む形態とすることができ、スクリーン１１０の端部の角等によって、巻き段が発生することを防止できる。
【００３１】
以上説明したように、本実施例によれば、スクリーン１１０や接合層１３０の厚みによって、巻き芯１２０の外周面との間に段差が生じることがない。従って、スクリーン１１０に巻き段が発生することを防止でき、巻き取り型スクリーン装置１０の使用時のスクリーン１１０の平面性を良好にでき、高画質な映像を表示できる。
【００３２】
（変形例）
以上説明した実施例に限定されることなく、種々の変形や変更が可能であって、それらも本発明の均等の範囲内である。
（１）本実施例において、スクリーン１１０は、その全面が映像を表示可能な例を示したが、これに限らず、リード部又はスカートフィルム等と呼ばれる映像を表示しない領域（以下、リード部と呼ぶ）を有するスクリーンを用いてもよい。
このリード部は、スクリーン１１０と巻き芯１２０との間、スクリーン１１０と錘部１３との間の一方又は双方に設けられ、収納部１２から引き出された長さによって、スクリーン１１０の映像表示領域の高さを調整する機能を有する領域である。リード部は、黒色等のシート状又はフィルム状の部材をスクリーン１１０の映像表示領域の端部に接合して設けてもよいし、スクリーン１１０の映像表示領域の裏面側にスクリーン１１０の映像表示領域よりも大きなサイズのリード部を貼付する形態で設けてもよい。この場合には、リード部の端部が接合層１３０によって巻き芯１２０に接合される形態としてもよい。
【００３３】
（２）本実施例において、接合層１３０は、両面テープを用いる例を示したが、これに限らず、例えば、粘着材又は接着材を用いて形成してもよい。
さらに、接合層１３０は、巻き芯１２０の長手方向の全体にわたって形成せず、所定の距離を離して複数箇所に設けてもよい。この場合には、接合層が設けられる部分にのみ、溝部を形成してもよい。
【００３４】
（３）本実施例において、溝部１２１の側面１２１ａと第１の外周面１２０ａとの角縁部分、及び、側面１２１ｂと第２の外周面１２０ｂとの角縁部分は、曲面によって形成される例を示したが、これに限らず、曲面ではなく、面取り形状でもよいし、角縁部分に角が形成されていてもよい。
【００３５】
（４）本実施例において、スクリーン１１０は、映像光を反射して観察可能に表示する反射スクリーンである例を示したが、これに限らず、例えば、背面投射型の表示装置に使用される透過型のスクリーン等でもよい。
【００３６】
（５）本実施例において、スクリーン１１０の先端部分は、接合層１３０によって巻き芯１２０に接合されていない例を示したが、これに限らず、スクリーン１１０の先端部分も接合層１３０によって巻き芯１２０に接合してもよい。
【００３７】
（６）本実施例において、巻き芯１２０は、回転中心から第１の外周面１２０ａまでの径が、回転中心から第２の外周面１２０ｂまでの径よりもスクリーン１１０の厚みＳだけ小さく、第１の外周面での外径が５０ｍｍである例を示したが、これに限らず、例えば、回転中心から第１の外周面及び第２の外周面までの径が等しい円筒形状であり、その外径が５０ｍｍであるような巻き芯を用いてもよい。この場合、接合層によって巻き芯と接合されたスクリーンの先端部分が溝部からはみ出すと巻き段が発生するので、スクリーンの先端部分が第２の外周面よりも巻き芯の外径側に突出しないように設けるとよい。例えば、スクリーンの先端部分を接合層によって巻き芯に接合せず、第２の段差部と接合層との間にスクリーンの先端部分が挿入可能な隙間を設け、スクリーンが巻き芯に巻き取られたとき、スクリーンの先端部分が第２の段差部と接合層との間に形成された溝形状の空間に落ち込む形態とすると、巻き段防止に効果的である。
【図面の簡単な説明】
【００３８】
【図１】本発明による実施例の巻き取り型スクリーン装置１０を備えた映像表示システムを示す図である。
【図２】本実施例の収納部１２内の巻き芯１２０とスクリーン１１０との関係を説明する断面図である。
【図３】スクリーン１１０が巻き取られていない状態での溝部１２１付近の拡大図である。
【図４】スクリーン１１０が巻き取られた状態での溝部１２１付近の拡大図である。
【符号の説明】
【００３９】
１０    巻き取り型スクリーン装置
１２    収納部
１３    錘部
１１０    スクリーン
１２０    巻き芯
１２０ａ    第１の外周面
１２０ｂ    第２の外周面
１２１    溝部
１２２ａ    第１の段差部
１２２ｂ    第２の段差部
１３０    接合層
【図１】
2008020624.tif 000003
【図２】
2008020624.tif 000004
【図３】
2008020624.tif 000005
【図４】
2008020624.tif 000006